(57)【要約】高周波フロントエンドモジュール（１０）は、可変サーキュレータ（２０）、送信側フィルタ（３０）、および受信側フィルタ（４０）を備える。可変サーキュレータ（２０）のサーキュレータ（２１）のアンテナ側ポート（ＣＰｃ）と送信側ポート（ＣＰｔ）との間には、スイッチ（２２１）によって選択的に接続されるキャパシタ（２３１、２３２）を備える。サーキュレータ（２１）のアンテナ側ポート（ＣＰｃ）と受信側ポート（ＣＰｒ）との間には、スイッチ（２２２）によって選択的に接続されるキャパシタ（２３３、２３４）を備える。サーキュレータ（２１）の送信側ポート（ＣＰｔ）と受信側ポート（ＣＰｒ）との間には、スイッチ（２２３）によって選択的に接続されるキャパシタ（２３５、２３６）を備える。キャパシタの選択によって、ポート間の位相特性を、伝送する送信信号および受信信号に応じた特性に調整する。
2013027580.tif 000002
【特許請求の範囲】
【請求項１】
複数種類の通信信号に対して共通のアンテナで、前記複数種類の通信信号の送信信号を送信し、前記複数種類の通信信号の受信信号を受信する高周波フロントエンドモジュールであって、
前記共通のアンテナに接続するアンテナ側ポート、前記受信信号を出力する受信信号側ポート、前記送信信号を入力する送信側ポートを備え、前記送信信号を前記送信側ポートから前記アンテナ側ポートへ伝送し、前記受信信号を前記アンテナ側ポートから前記受信側ポートへ伝送するサーキュレータと、
前記サーキュレータの前記送信側ポートに接続された送信側フィルタと、
前記サーキュレータの前記受信側ポートに接続された受信側フィルタと、を備え、
前記サーキュレータは、前記通信信号に応じて、前記送信側ポートから前記アンテナ側ポートへの伝送特性、前記アンテナ側ポートから前記受信側ポートへの伝送特性、および前記送信側ポートから前記受信側ポートへの遮断特性を調整する調整回路を備え、
前記送信側フィルタおよび前記受信側フィルタは、前記通信信号の周波数帯域に応じて通過帯域および減衰帯域を調整可能な可変型フィルタを備える、高周波フロントエンドモジュール。
【請求項２】
前記調整回路は、
前記送信側ポートと前記アンテナ側ポートとの間に接続された第１可変インピーダンス回路、前記アンテナ側ポートと前記受信側ポートとの間に接続された第２可変インピーダンス回路、および前記送信側ポートと前記受信側ポートとの間に接続された第３可変インピーダンス回路の少なくとも１つを備える、請求項１に記載の高周波フロントエンドモジュール。
【請求項３】
前記第１可変インピーダンス回路、前記第２可変インピーダンス回路、前記第３可変インピーダンス回路は、可変容量回路である、請求項２に記載の高周波フロントエンドモジュール。
【請求項４】
前記可変容量回路は、
サーキュレータ用スイッチ素子と、
該サーキュレータ用スイッチ素子によって選択的に接続される複数のキャパシタンス固定型のキャパシタと、で構成されている、請求項３に記載の高周波フロントエンドモジュール。
【請求項５】
前記可変型フィルタは、
前記複数種類の通信信号で利用する周波数帯域毎に通過帯域が設定された複数のＳＡＷフィルタと、
該複数のＳＡＷフィルタを選択的に接続するフィルタ用スイッチ素子と、を備える請求項１乃至請求項４のいずれかに記載の高周波フロントエンドモジュール。
【請求項６】
前記可変型フィルタは、
前記複数種類の通信信号で利用する周波数帯域毎に通過帯域が設定された複数のＳＡＷフィルタと、
伝送すべき通信信号に対応したＳＡＷフィルタにのみ通信信号が入出力されるようにインピーダンス調整を行うインピーダンス調整回路と、を備える請求項１乃至請求項５のいずれかに記載の高周波フロントエンドモジュール。
【請求項７】
前記複数のＳＡＷフィルタの前記サーキュレータに接続されているポート側には、前記インピーダンス調整回路が接続され、
前記複数のＳＡＷフィルタの前記サーキュレータに接続されているポート側とは反対側には、前記フィルタ用スイッチ素子が接続されている、請求項６に記載の高周波フロントエンドモジュール。
【請求項８】
前記インピーダンス調整回路は、前記複数のＳＡＷフィルタに接続され、電気長が調整された伝送線路からなる、請求項６または請求項７に記載の高周波フロントエンドモジュール。
【発明の詳細な説明】
【技術分野】
【０００１】
本発明は、通信周波数帯域が異なる複数の通信信号を、これら複数の通信信号に対する共通のアンテナで送受信するための高周波フロントエンドモジュールに関する。
【背景技術】
【０００２】
従来、通信周波数帯域が異なる複数の通信信号を送受信する高周波フロントエンドモジュールが各種実用化されている。この中で、複数の通信信号に対する共通のアンテナによって、該複数の通信信号を送受信する高周波フロントエンドモジュールがある。【０００３】
このような共通アンテナを用いる場合、特許文献１や図１に示すように、一般的には、スイッチ素子により、各通信信号の送受信回路を共通アンテナに切り替えて接続する。図１は、従来の高周波フロントエンドモジュール１０Ｐを含む送受信モジュール９００Ｐの回路構成図である。【０００４】
従来の送受信モジュール９００Ｐに用いる高周波フロントエンドモジュール１０Ｐは、スイッチ（ＳＷ）９０、ＳＡＷデュプレクサ９１，９２、ダイプレクサ９３、ＳＡＷフィルタ９４、ローパスフィルタ９５，９６を備える。高周波フロントエンドモジュール１０Ｐは、アンテナ側外部接続端子Ｐｃ０、送信信号外部入力端子Ｐｔｘ１，Ｐｔｘ２，Ｐｔｘ３，Ｐｔｘ４、および、受信信号外部出力端子Ｐｒｘ１，Ｐｒｘ２，Ｐｒｘ３Ａ，Ｐｒｘ３Ｂ，Ｐｒｘ４を備える。【０００５】
スイッチ９０は、ＳＰ６Ｔ（Ｓｉｎｇｌｅ  Ｐｏｌｅ  ６  Ｔｈｒｏｗ）のスイッチであり、１個の共通端子と６個の個別端子とを備える。スイッチ９０は、制御信号外部入力端子Ｐｓｗを介してＳＷ制御部９０３Ｐから入力される切り替え制御により、１個の共通端子を６個の個別端子のいずれかに接続する。【０００６】
スイッチ９０の共通端子は、アンテナ側外部接続端子Ｐｃ０へ接続されている。第１個別端子は、ＳＡＷデュプレクサ９１を介して、送信信号外部入力端子Ｐｔｘ１と受信信号外部出力端子Ｐｒｘ１へ接続されている。第２個別端子は、ＳＡＷデュプレクサ９２を介して、送信信号外部入力端子Ｐｔｘ２と受信信号外部出力端子Ｐｒｘ２へ接続されている。第３個別端子は、ダイプレクサ９３を介して、受信信号外部出力端子Ｐｒｘ３Ａ，Ｐｒｘ３Ｂへ接続されている。第４個別端子は、ＳＡＷフィルタ９４を介して、受信信号外部出力端子Ｐｒｘ４へ接続されている。第５個別端子は、ローパスフィルタ９５を介して送信信号外部入力端子Ｐｔｘ３へ接続されている。第６個別端子は、ローパスフィルタ９６を介して送信信号外部入力端子Ｐｔｘ４へ接続されている。【０００７】
送信信号外部入力端子Ｐｔｘ１，Ｐｔｘ２，Ｐｔｘ３，Ｐｔｘ４は、それぞれパワーアンプ９７１，９７２，９７３，９７４を介して通信制御部９０１の送信制御部９１１へ接続されている。受信信号外部出力端子Ｐｒｘ１，Ｐｒｘ２，Ｐｒｘ３Ａ，Ｐｒｘ３Ｂ，Ｐｒｘ４は、通信制御部９０１の受信側制御部９１２へ接続されている。【０００８】
この構成より、図１に記載の高周波フロントエンドモジュール１０Ｐでは、異なる個別の周波数帯域を利用した送信信号および受信信号を、単一のアンテナ９０２で送受信している。
【先行技術文献】
【特許文献】
【０００９】
【特許文献１】特表２０１０−５２４９８号公報
【発明の概要】
【発明が解決しようとする課題】
【００１０】
しかしながら、図１に示すような従来の高周波フロントエンドモジュール１０Ｐでは、送信信号および受信信号の数に応じて、スイッチの個別端子数が増加する。このような高周波フロントエンドモジュールで用いるスイッチは、一般にＦＥＴ等を用いた半導体スイッチであり、個別端子数が増加するほど、形状が大きくなってしまい、コストが大幅に増加する。【００１１】
しがって、本発明の目的は、従来のような個別端子数（切り替え接続端子数）が多いスイッチを用いることなく、従来よりも小型で且つ送受信特性に優れる高周波フロントエンドモジュールを実現することにある。
【課題を解決するための手段】
【００１２】
この発明の高周波フロントエンドモジュールは、複数種類の通信信号に対して共通のアンテナで、複数種類の通信信号の送信信号を送信し、複数種類の通信信号の受信信号を受信する。この高周波フロントエンドモジュールは、サーキュレータ、送信側フィルタ、および受信側フィルタを備える。サーキュレータは、共通のアンテナに接続するアンテナ側ポート、受信信号を出力する受信信号側ポート、送信信号を入力する送信側ポートを備える。サーキュレータは、送信信号を送信側ポートからアンテナ側ポートへ伝送し、受信信号を前記アンテナ側ポートから受信側ポートへ伝送する。送信側フィルタは、サーキュレータの送信側ポートに接続されている。受信側フィルタは、サーキュレータの受信側ポートに接続されている。【００１３】
このような構成の上で、サーキュレータは、通信信号に応じて、送信側ポートからアンテナ側ポートへの伝送特性、アンテナ側ポートから受信側ポートへの伝送特性、および送信側ポートから受信側ポートへの遮断特性を調整する調整回路を備える。送信側フィルタおよび受信側フィルタは、通信信号の周波数帯域に応じて通過帯域および減衰帯域を調整可能な可変型フィルタを備える。【００１４】
この構成では、サーキュレータにおける送信側および受信側とアンテナ側との間の伝送特性、送受信間の遮断特性を、通信信号毎に調整することが可能になる。これにより、単一のサーキュレータで複数種類の通信信号の送受信が可能になる。さらに、送信側フィルタおよび受信側フィルタも、通信信号に応じた通過特性および減衰特性に調整可能であるので、高周波フロントエンドモジュールとして、複数の送信信号に対して共通の送信信号外部入力端子を備え、複数の受信信号に対して共通の受信信号外部出力端子を備えればよい。したがって、高周波フロントエンドモジュールの全体構成が簡略化かされ、小型化される。この際、サーキュレータ、送信側フィルタおよび受信側フィルタは、通信信号に応じて特性調整されているので、それぞれの通信信号に応じた伝送特性は維持される。【００１５】
また、この発明の高周波フロントエンドモジュールの調整回路は、一例として次の構成により実現される。調整回路は、送信側ポートとアンテナ側ポートとの間に接続された第１可変インピーダンス回路、アンテナ側ポートと受信側ポートとの間に接続された第２可変インピーダンス回路、および送信側ポートと受信側ポートとの間に接続された第３可変インピーダンス回路の少なくとも１つを備える。【００１６】
この構成では、調整回路の具体的な構成例を示しており、可変インピーダンス回路をサーキュレータの各ポート間のいずれかに接続する。この際、全てのポート間に可変インピーダンス回路を接続することが好ましい。【００１７】
このような可変インピーダンス回路を備えることで、送信側ポートからアンテナ側ポートを見たインピーダンス、アンテナ側ポートから受信側ポートを見たインピーダンス、および、送信側ポートから受信側ポートを見たインピーダンスを調整できる。これにより、通信信号毎に、送信信号を送信側ポートからアンテナ側ポートへ低損失で伝送するとともに、送信信号を送信側ポートから受信側ポートへ伝送しないように遮断し、受信信号をアンテナ側ポートから受信側ポートへ低損失で伝送することができる。【００１８】
また、この発明の高周波フロントエンドモジュールでは、第１可変インピーダンス回路、第２可変インピーダンス回路、第３可変インピーダンス回路は、可変容量回路であることが好ましい。【００１９】
この構成では、各可変インピーダンス回路を簡素に構成でき、インピーダンス調整も容易である。【００２０】
また、この発明の高周波フロントエンドモジュールでは、可変容量回路は、サーキュレータ用スイッチ素子と、該サーキュレータ用スイッチ素子によって選択的に接続される複数のキャパシタンス固定型のキャパシタと、で構成されることが好ましい。【００２１】
この構成では、汎用のキャパシタと汎用のスイッチとで、可変容量回路を容易に構成することができる。【００２２】
また、この発明の高周波フロントエンドモジュールの可変型フィルタは、一例として、次の構成によって実現できる。可変型フィルタは、複数種類の通信信号で利用する周波数帯域毎に通過帯域が設定された複数のＳＡＷフィルタと、該複数のＳＡＷフィルタを選択的に接続するフィルタ用スイッチ素子と、を備える。【００２３】
この構成では、通信信号に応じた通過特性および減衰特性を容易に実現でき、さらに、利用しないＳＡＷフィルタを伝送系から分離できる。【００２４】
また、この発明の高周波フロントエンドモジュールの可変型フィルタは、一例として、次の構成によって実現できる。可変型フィルタは、複数種類の通信信号で利用する周波数帯域毎に通過帯域が設定された複数のＳＡＷフィルタと、伝送すべき通信信号に対応したＳＡＷフィルタにのみ通信信号が入出力されるようにインピーダンス調整を行うインピーダンス調整回路と、を備える。【００２５】
この構成では、スイッチを用いないため、可変型フィルタを簡素な構造で実現できる。これに応じて、高周波フロントエンドモジュールを簡素な構造で実現できる。【００２６】
また、この発明の高周波フロントエンドモジュールでは、複数のＳＡＷフィルタのサーキュレータに接続されているポート側にはインピーダンス調整回路が接続され、複数のＳＡＷフィルタのサーキュレータに接続されているポート側とは反対側にはフィルタ用スイッチ素子が接続されていることが好ましい。【００２７】
この構成では、インピーダンス調整回路が各ＳＡＷフィルタとサーキュレータとの間のインピーダンス整合を行っているので、別途、整合回路を備える必要がない。これにより、さらに小型の高周波フロントエンドモジュールを実現できる。【００２８】
また、この発明の高周波フロントエンドモジュールのインピーダンス調整回路は、複数のＳＡＷフィルタに接続され、電気長が調整された伝送線路からなる、ことが好ましい。【００２９】
この構成では、インピーダンス調整回路を簡素化することができる。これにより、高周波フロントエンドモジュールの形状を、さらに簡素化することができる。
【発明の効果】
【００３０】
この発明によれば、優れた送受信特性を有する小型の高周波フロントエンドモジュールを実現できる。
【図面の簡単な説明】
【００３１】
【図１】従来の高周波フロントエンドモジュール１０Ｐを含む送受信モジュール９００Ｐの回路構成図である。
【図２】第１の実施形態に係る高周波フロントエンドモジュール１０を含む送受信モジュール９００の回路図である。
【図３】可変サーキュレータ２０の伝送特性および遮断特性の概念を説明するための減衰量の周波数特性である。
【図４】第２の実施形態に係る高周波フロントエンドモジュール１０Ａを含む送受信モジュール９００Ａの回路図である。
【図５】第３の実施形態に係る高周波フロントエンドモジュール１０Ｂを含む送受信モジュール９００Ｂの回路図である。
【図６】第４の実施形態に係る高周波フロントエンドモジュール１０Ｃを含む送受信モジュール９００Ｃの回路図である。
【図７】第５の実施形態に係る高周波フロントエンドモジュール１０Ｄを含む送受信モジュール９００Ｄの回路図である。
【発明を実施するための形態】
【００３２】
本発明の第１の実施形態に係る高周波フロントエンドモジュール１０について、図を参照して説明する。本実施形態では、ＧＳＭ（Global System for Mobile Communications）８５０通信信号の送信信号（以下ＧＳＭ８５０送信信号と称する。）、ＧＳＭ８５０通信信号の受信信号（以下ＧＳＭ８５０受信信号と称する。）、ＧＳＭ９００通信信号の送信信号（以下ＧＳＭ９００送信信号と称する。）、ＧＳＭ９００通信信号の受信信号（以下ＧＳＭ９００受信信号と称する。）を送受信する。なお、本実施形態では、ＧＳＭ８５０通信信号とＧＳＭ９００通信信号の二種類を共通のアンテナ９００で送受信する場合の構成を示すが、ＧＳＭ８５０通信信号、ＧＳＭ９００通信信号、ＧＳＭ１８００通信信号、ＧＳＭ１９００通信信号、およびＷ−ＣＤＭＡ（Wideband Code Division Multiple Access）の各バンドの通信信号の内、複数の通信信号を共通のアンテナ９０２で送受信する場合にも、適用することができる。すなわち、１種類の通信信号を構成する送信周波数帯域と受信周波数帯域とが重ならないように設定された複数種類の通信信号を、共通のアンテナで送受信する場合であれば、本構成を適用することができる。
【００３３】
本実施形態の高周波フロントエンドモジュール１０は、後述する各回路構成要素を、電極パターンが形成された誘電体層を積層してなる積層体と、該積層体に実装されたチップ型回路素子とによって実現している。
【００３４】
図２は、本実施形態に係る高周波フロントエンドモジュール１０を含む送受信モジュール９００の回路図である。高周波フロントエンドモジュール１０は、可変サーキュレータ２０、送信側フィルタ３０、および受信側フィルタ４０を備える。高周波フロントエンドモジュール１０は、アンテナ側外部接続端子Ｐｃ０、送信信号外部入力端子Ｐｔｘ、受信信号外部出力端子Ｐｒｘ、および制御信号外部入力端子Ｐｓｗを備える。
【００３５】
高周波フロントエンドモジュール１０は、内部接続構成として、概略的に次の構成を備える。アンテナ側外部接続端子Ｐｃ０には、可変サーキュレータ２０のアンテナ側ポート（後述のサーキュレータ２１のアンテナ側ポートＣＰｃ）が接続されている。可変サーキュレータ２０の送信側ポート（後述のサーキュレータ２１の送信側ポートＣＰｔ）には、送信側フィルタ３０が接続されている。送信側フィルタ３０には、送信信号外部入力端子Ｐｔｘが接続されている。可変サーキュレータ２０の受信側ポート（後述のサーキュレータ２１の受信側ポートＣＰｒ）には、受信側フィルタ４０が接続されている。受信側フィルタ４０には、受信信号外部出力端子Ｐｒｘが接続されている。
【００３６】
高周波フロントエンドモジュール１０は、外部接続構成として、次の構成を備える。送信信号外部入力端子Ｐｔｘには、通信制御部９０１の送信制御部９１１が接続されている。受信信号外部出力端子Ｐｒｘには、通信制御部９０１の受信制御部９１２が接続されている。アンテナ側外部接続端子Ｐｃ０には、アンテナ９０２に接続されている。制御信号外部出力端子Ｐｓｗには、スイッチ制御部９０３が接続されている。
【００３７】
次に、可変サーキュレータ２０の具体的な構成について説明する。図３は可変サーキュレータ２０の伝送特性および遮断特性の概念を説明するための減衰量の周波数特性である。図３（Ａ）はＧＳＭ８５０送信信号に対する特性を示し、図３（Ｂ）はＧＳＭ９００送信信号に対する特性を示し、図３（Ｃ）はＧＳＭ８５０受信信号に対する特性を示し、図３（Ｄ）はＧＳＭ９００受信信号に対する特性を示す。なお、図中の「Ｃｉｒのみ」の記載は、本願の構成を用いることなく、サーキュレータ２１のみを用いた場合を示している。
【００３８】
可変サーキュレータ２０は、サーキュレータ２１、スイッチ２２１，２２２，２２３、キャパシタ２３１，２３２，２３３，２３４，２３５，２３６を備える。
【００３９】
サーキュレータ２１は、アンテナ側ポートＣＰｃ、送信側ポートＣＰｔ、および受信側ポートＣＰｒを備える。
【００４０】
アンテナ側ポートＣＰｃには、スイッチ２２１の共通端子が接続されている。スイッチ２２１は、スイッチ制御部９０３からのスイッチ制御信号に応じて、共通端子を２個の個別端子のいずれかに接続する。スイッチ２２１の一方の個別端子は、キャパシタ２３１を介して送信側ポートＣＰｔへ接続されている。また、スイッチ２２１の他方の個別端子は、キャパシタ２３２を介して送信側ポートＣＰｔへ接続されている。キャパシタ２３１のキャパシタンスＣ２３１と、キャパシタ２３２のキャパシタンスＣ２３２は、異なる。このようなスイッチ２２１、キャパシタ２３１，２３２からなる回路が、本発明の「調整回路」に相当する。そして、このような構成とすることで、スイッチ制御信号に応じて、アンテナ側ポートＣＰｃと送信側ポートＣＰｔとの間に異なるキャパシタンスからなるキャパシタ２３１，２３２のいずれかを選択して接続することが可能になる。
【００４１】
アンテナ側ポートＣＰｃには、スイッチ２２２の共通端子が接続されている。スイッチ２２２は、スイッチ制御部９０３からのスイッチ制御信号に応じて、共通端子を２個の個別端子のいずれかに接続する。スイッチ２２２の一方の個別端子は、キャパシタ２３３を介して受信側ポートＣＰｒへ接続されている。また、スイッチ２２２の他方の個別端子は、キャパシタ２３４を介して受信側ポートＣＰｒへ接続されている。キャパシタ２３３のキャパシタンスＣ２３３と、キャパシタ２３４のキャパシタンスＣ２３４は、異なる。このようなスイッチ２２２、キャパシタ２３３，２３４からなる回路も、本発明の「調整回路」に相当する。そして、このような構成とすることで、スイッチ制御信号に応じて、アンテナ側ポートＣＰｃと受信側ポートＣＰｒとの間に異なるキャパシタンスからなるキャパシタ２３３，２３４のいずれかを選択して接続することが可能になる。
【００４２】
受信側ポートＣＰｒには、スイッチ２２３の共通端子が接続されている。スイッチ２２３は、スイッチ制御部９０３からのスイッチ制御信号に応じて、共通端子を２個の個別端子のいずれかに接続する。スイッチ２２３の一方の個別端子は、キャパシタ２３５を介して送信側ポートＣＰｔへ接続されている。また、スイッチ２２３の他方の個別端子は、キャパシタ２３６を介して送信側ポートＣＰｔへ接続されている。キャパシタ２３５のキャパシタンスＣ２３５と、キャパシタ２３６のキャパシタンスＣ２３６は、異なる。このようなスイッチ２２３、キャパシタ２３５，２３６からなる回路も、本発明の「調整回路」に相当する。そして、このような構成とすることで、スイッチ制御信号に応じて、送信側ポートＣＰｔと受信側ポートＣＰｒとの間に異なるキャパシタンスからなるキャパシタ２３５，２３６のいずれかを選択して接続することが可能になる。
【００４３】
サーキュレータ２１は、既知のサーキュレータの構造を元にして、送信側ポートＣＰｔから入力された送信信号を、アンテナ側ポートＣＰｃへ伝送して出力する。また、サーキュレータ２１は、アンテナ側ポートＣＰｃから入力された受信信号を、受信側ポートＣＰｒへ伝送して出力する。さらに、サーキュレータ２１は、送信側ポートＣＰｔから入力された送信信号を、受信側ポートＣＰｒへ伝送しないように遮断する。
【００４４】
しかしながら、サーキュレータ２１単体では、構造上、一種類の伝送特性と遮断特性しか実現できない。したがって、本実施形態のサーキュレータ２１は、ＧＳＭ８５０送信信号およびＧＳＭ９００送信信号の両方を送信側ポートＣＰｔからアンテナ側ポートＣＰｃへ伝送させるため、図３（Ａ）、図３（Ｂ）の一点鎖線に示すように、送信側ポートＣＰｔとアンテナ側ポートＣＰｃとを結ぶ伝送経路に対して、ＧＳＭ８５０送信信号およびＧＳＭ９００送信信号の周波数帯域が通過帯域となるように構成されている。ただし、この構成では、図３（Ａ）、図３（Ｂ）の一点鎖線に示すように、ＧＳＭ８５０送信信号およびＧＳＭ９００送信信号に対する挿入損失が、ある程度生じてしまう。
【００４５】
また、本実施形態のサーキュレータ２１は、ＧＳＭ８５０送信信号およびＧＳＭ９００送信信号の両方を送信側ポートＣＰｔから受信側ポートＣＰｒへ伝送させず遮断するため、図３（Ａ）、図３（Ｂ）の二点鎖線に示すように、送信側ポートＣＰｔと受信側ポートＣＰｒとを結ぶ伝送経路に対して、ＧＳＭ８５０送信信号およびＧＳＭ９００送信信号の周波数帯域を減衰帯域とする構造で構成されている。ただし、この構成では、図３（Ａ）、図３（Ｂ）の一点鎖線に示すように、ＧＳＭ８５０送信信号およびＧＳＭ９００送信信号に対する十分な減衰量を得られない。
【００４６】
同様に、本実施形態のサーキュレータ２１は、ＧＳＭ８５０受信信号およびＧＳＭ９００受信信号の両方をアンテナ側ポートＣＰｃから受信側ポートＣＰｒへ伝送させるため、図３（Ｃ）、図３（Ｄ）の一点鎖線に示すように、アンテナ側ポートＣＰｃと受信側ポートＣＰｒとを結ぶ伝送経路に対して、ＧＳＭ８５０受信信号およびＧＳＭ９００受信信号の周波数帯域が通過帯域となるように構成されている。ただし、この構成では、図３（Ｃ）、図３（Ｄ）の一点鎖線に示すように、ＧＳＭ８５０受信信号およびＧＳＭ９００受信信号に対する挿入損失が、ある程度生じてしまう。
【００４７】
また、本実施形態のサーキュレータ２１は、ＧＳＭ８５０受信信号およびＧＳＭ９００受信信号の両方をアンテナ側ポートＣＰｃから送信側ポートＣＰｔへ伝送させず遮断するため、図３（Ｃ）、図３（Ｄ）の二点鎖線に示すように、アンテナ側ポートＣＰｃと送信側ポートＣＰｔとを結ぶ伝送経路に対して、ＧＳＭ８５０受信信号およびＧＳＭ９００受信信号の周波数帯域を減衰帯域とする構造で構成されている。ただし、この構成では、図３（Ｃ）、図３（Ｄ）の二点鎖線に示すように、ＧＳＭ８５０受信信号およびＧＳＭ９００受信信号に対する十分な減衰量を得られない。
【００４８】
このため、本実施形態のように、スイッチ２２１，２２２，２２３を制御し、サーキュレータ２１のアンテナ側ポートＣＰｃ、送信側ポートＣＰｔ、受信側ポートＣＰｒのそれぞれの間に、所定のキャパシタンスからなるキャパシタを切り替えて接続する。
【００４９】
具体的には、例えば、ＧＳＭ８５０送信信号の送信時およびＧＳＭ８５０受信信号の受信時には、アンテナ側ポートＣＰｃと送信側ポートＣＰｔとの間にキャパシタンスＣ２３１からなるキャパシタ２３１が接続される。また、アンテナ側ポートＣＰｃと受信側ポートＣＰｒとの間にキャパシタンスＣ２３３からなるキャパシタ２３３が接続される。さらに、送信側ポートＣＰｔと受信側ポートＣＰｒとの間にキャパシタンスＣ２３５からなるキャパシタ２３５が接続される。
【００５０】
これら、キャパシタ２３１，２３３，２３５のキャパシタンスＣ２３１，Ｃ２３３，Ｃ２３５は、次の特性が得られるように設定されている。
【００５１】
ＧＳＭ８５０送信信号に対して、送信側ポートＣＰｔからアンテナ側ポートＣＰｃを見たインピーダンス、およびアンテナ側ポートＣＰｃから受信側ポートＣＰｒを見たインピーダンスが５０Ω程度になるように位相を回転させる。同時に、送信側ポートＣＰｔから受信側ポートＣＰｒを見たインピーダンスと、アンテナ側ポートＣＰｃから送信側ポートＣＰｔを見たインピーダンスが無限大に近接するように位相を回転させる。
【００５２】
このようなキャパシタンスＣ２３１，Ｃ２３３，Ｃ２３５からなるキャパシタ２３１，２３３，２３５を接続することにより、図３（Ａ）の実線に示すように、ＧＳＭ８５０送信信号の周波数帯域では、送信側ポートＣＰｔからアンテナ側ポートＣＰｃへ伝送される信号の挿入損失を低下させて改善することができる。同時に、図３（Ａ）の破線に示すように、ＧＳＭ８５０送信信号の周波数帯域では、送信側ポートＣＰｔから受信側ポートＣＰｒへ伝送される信号に対する減衰量を増加させることができる。
【００５３】
これにより、可変サーキュレータ２０は、ＧＳＭ８５０送信時に、送信側ポートＣＰｔからアンテナ側ポートＣＰｃへＧＳＭ８５０送信信号を低損失で伝送することができる。さらに、可変サーキュレータ２０は、送信側ポートＣＰｔから受信側ポートＣＰｒへのＧＳＭ８５０送信信号の回り込みを十分に抑圧し、送受信間のアイソレーションを十分に確保することができる。
【００５４】
また、キャパシタンスＣ２３１，Ｃ２３３，Ｃ２３５からなるキャパシタ２３１，２３３，２３５を接続することにより、図３（Ｃ）の実線に示すように、ＧＳＭ８５０受信信号の周波数帯域では、アンテナ側ポートＣＰｃから受信側ポートＣＰｒへ伝送される信号の挿入損失を低下させて改善することができる。同時に、図３（Ｃ）の破線に示すように、ＧＳＭ８５０受信信号の周波数帯域では、アンテナ側ポートＣＰｃから送信側ポートＣＰｔへ伝送される信号に対する減衰量を増加させることができる。
【００５５】
ＧＳＭ８５０の場合とは逆に、例えば、ＧＳＭ９００送信信号の送信時およびＧＳＭ９００受信信号の受信時には、アンテナ側ポートＣＰｃと送信側ポートＣＰｔとの間にキャパシタンスＣ２３２からなるキャパシタ２３２が接続される。また、アンテナ側ポートＣＰｃと受信側ポートＣＰｒとの間にキャパシタンスＣ２３４からなるキャパシタ２３４が接続される。さらに、送信側ポートＣＰｔと受信側ポートＣＰｒとの間にキャパシタンスＣ２３６からなるキャパシタ２３６が接続される。
【００５６】
これら、キャパシタ２３２，２３４，２３６のキャパシタンスＣ２３２，Ｃ２３４，Ｃ２３６は、次の特性が得られるように設定されている。
【００５７】
ＧＳＭ９００送信信号に対して、送信側ポートＣＰｔからアンテナ側ポートＣＰｃを見たインピーダンス、およびアンテナ側ポートＣＰｃから受信側ポートＣＰｒを見たインピーダンスが５０Ω程度になるように位相を回転させる。同時に、送信側ポートＣＰｔから受信側ポートＣＰｒを見たインピーダンスと、アンテナ側ポートＣＰｃから送信側ポートＣＰｔを見たインピーダンスが無限大に近接するように位相を回転させる。
【００５８】
このようなキャパシタンスＣ２３２，Ｃ２３４，Ｃ２３６からなるキャパシタ２３２，２３４，２３６を接続することにより、図３（Ｂ）の実線に示すように、ＧＳＭ９００送信信号の周波数帯域では、送信側ポートＣＰｔからアンテナ側ポートＣＰｃへ伝送される信号の挿入損失を低下させて改善することができる。同時に、図３（Ｂ）の破線に示すように、ＧＳＭ９００送信信号の周波数帯域では、送信側ポートＣＰｔから受信側ポートＣＰｒへ伝送される信号に対する減衰量を増加させることができる。
【００５９】
これにより、可変サーキュレータ２０は、ＧＳＭ９００送信信号の送信時に、送信側ポートＣＰｔからアンテナ側ポートＣＰｃへＧＳＭ９００送信信号を低損失で伝送することができる。さらに、可変サーキュレータ２０は、送信側ポートＣＰｔから受信側ポートＣＰｒへのＧＳＭ９００送信信号の回り込みを十分に抑圧し、送受信間のアイソレーションを十分に確保することができる。
【００６０】
また、キャパシタンスＣ２３２，Ｃ２３４，Ｃ２３６からなるキャパシタ２３２，２３４，２３６を接続することにより、図３（Ｄ）の実線に示すように、ＧＳＭ９００受信信号の周波数帯域では、アンテナ側ポートＣＰｃから受信側ポートＣＰｒへ伝送される信号の挿入損失を低下させて改善することができる。同時に、図３（Ｄ）の破線に示すように、ＧＳＭ９００受信信号の周波数帯域では、アンテナ側ポートＣＰｃから送信側ポートＣＰｔへ伝送される信号に対する減衰量を増加させることができる。
【００６１】
以上のように、本実施形態の可変サーキュレータを用いれば、周波数帯域の異なる複数の送信信号および受信信号を、それぞれ低損失で送受信し、且ついずれの通信信号に対しても送信回路と受信回路との間のアイソレーションを確保することができる。
【００６２】
次に、送信側フィルタ３０の具体的構成について説明する。図２に示すように、送信側フィルタ３０は、ＳＡＷフィルタ３１１，３１２、スイッチ３２１，３２２を備える。
【００６３】
ＳＡＷフィルタ３１１は、ＧＳＭ８５０送信信号の周波数帯域を通過帯域とし、他の周波数帯域が減衰域となるフィルタである。ＳＡＷフィルタ３１２は、ＧＳＭ９００送信信号の周波数帯域を通過帯域とし、他の周波数帯域が減衰域となるフィルタである。
【００６４】
スイッチ３２１は、共通端子が高周波フロントエンドモジュール１０の送信信号外部入力端子Ｐｔｘへ接続されている。スイッチ３２１は、スイッチ制御部９０３からのスイッチ制御信号に応じて、共通端子を２個の個別端子のいずれかに接続する。スイッチ３２１の一方の個別端子はＳＡＷフィルタ３１１へ接続され、スイッチ３２１の他方の個別端子はＳＡＷフィルタ３１２へ接続されている。
【００６５】
スイッチ３２２は、共通端子がサーキュレータ２１の送信側ポートＣＰｔへ接続されている。スイッチ３２２は、スイッチ制御部９０３からのスイッチ制御信号に応じて、共通端子を２個の個別端子のいずれかに接続する。スイッチ３２２の一方の個別端子はＳＡＷフィルタ３１１へ接続され、スイッチ３２２の他方の個別端子はＳＡＷフィルタ３１２へ接続されている。
【００６６】
このような構成において、ＧＳＭ８５０送信信号の送信時には、ＳＡＷフィルタ３１１に信号が伝送するように、スイッチ３２１，３２２が制御される。一方、ＧＳＭ９００送信信号の送信時には、ＳＡＷフィルタ３１２に信号が伝送されるように、スイッチ３２１，３２２が制御される。これにより、送信側フィルタ３０は、ＧＳＭ８５０送信信号の送信時には、ＧＳＭ８５０送信信号とともに入力される高調波信号等のノイズを抑圧して、可変サーキュレータ２０のサーキュレータ２１へ出力する。また、送信側フィルタ３０は、ＧＳＭ９００送信信号の送信時には、ＧＳＭ９００送信信号とともに入力される高調波信号等のノイズを抑圧して、可変サーキュレータ２０のサーキュレータ２１へ出力する。
【００６７】
次に、受信側フィルタ４０の具体的構成について説明する。図２に示すように、受信側フィルタ４０は、ＳＡＷフィルタ４１１，４１２、スイッチ４２１，４２２を備える。
【００６８】
ＳＡＷフィルタ４１１は、ＧＳＭ８５０受信信号の周波数帯域を通過帯域とし、他の周波数帯域が減衰域となるフィルタである。ＳＡＷフィルタ４１２は、ＧＳＭ９００受信信号の周波数帯域を通過帯域とし、他の周波数帯域が減衰域となるフィルタである。
【００６９】
スイッチ４２１は、共通端子がサーキュレータ２１の受信側ポートＣｐｒへ接続されている。スイッチ４２１は、スイッチ制御部９０３からのスイッチ制御信号に応じて、共通端子を２個の個別端子のいずれかに接続する。スイッチ４２１の一方の個別端子はＳＡＷフィルタ４１１へ接続され、スイッチ４２１の他方の個別端子はＳＡＷフィルタ４１２へ接続されている。
【００７０】
スイッチ４２２は、共通端子が高周波フロントエンドモジュール１０の受信信号外部出力端子Ｐｒｘへ接続されている。スイッチ４２２は、スイッチ制御部９０３からのスイッチ制御信号に応じて、共通端子を２個の個別端子のいずれかに接続する。スイッチ４２２の一方の個別端子はＳＡＷフィルタ４１１へ接続され、スイッチ４２２の他方の個別端子はＳＡＷフィルタ４１２へ接続されている。
【００７１】
このような構成において、ＧＳＭ８５０受信信号の受信時には、ＳＡＷフィルタ４１１に信号が伝送するように、スイッチ４２１，４２２が制御される。一方、ＧＳＭ９００受信信号の受信時には、ＳＡＷフィルタ４１２に信号が伝送されるように、スイッチ４２１，４２２が制御される。これにより、受信側フィルタ４０は、ＧＳＭ８５０受信信号の受信時には、ＧＳＭ８５０受信信号以外の周波数成分からなるノイズを抑圧して、受信信号外部出力端子Ｐｒｘへ出力する。また、受信側フィルタ３０は、ＧＳＭ９００受信信号の受信時には、ＧＳＭ９００受信信号以外の周波数成分からなるノイズを抑圧して、受信信号外部出力端子Ｐｒｘへ出力する。
【００７２】
そして、受信フィルタ４０をこのような構成にすれば、複数の送信信号を共通の送信信号外部入力端子Ｐｔｘから入力し、複数の受信信号を共通の受信信号外部出力端子Ｐｒｘから出力する構成であっても、上述の可変サーキュレータ２０の効果との相乗効果により、いずれの送信信号および受信信号に対しても、送信信号外部入力端子Ｐｔｘと受信信号外部出力端子Ｐｒｘとの間のアイソレーション、言い換えれば通信制御部９０１の送信制御部９１１と受信制御部９１２と間のアイソレーションを非常に高い状態で確保することができる。
【００７３】
そして、従来のＳＰｎＴのスイッチを用いて本実施形態のような特性を実現しようとした場合、ＧＳＭ８５０送信用、ＧＳＭ８５０受信用、ＧＳＭ９００送信用、ＧＳＭ９００受信用の個別端子が必要となり、ＳＰ４Ｔのスイッチとなってしまうが、本実施形態の構成では、このような多分岐型のスイッチを必要としないので、より小型化が容易になる。そして、送受信する通信信号数が増加するほど、ＳＰｎＴ型スイッチが大きくなることから、本実施形態の構成の優位性は顕著に表れる。すなわち、十分な伝送特性を有しながら、より一層小型化が可能な高周波フロントエンドモジュールを実現することができる。
【００７４】
次に、第２の実施形態に係る高周波フロントエンドモジュールについて、図を参照して説明する。図４は、本実施形態に係る高周波フロントエンドモジュール１０Ａを含む送受信モジュール９００Ａの回路図である。本実施形態の高周波フロントエンドモジュール１０Ａは、送信側フィルタ３０Ａ、受信側フィルタ４０Ａの内部構成が異なるのみで、他の構成は第１の実施形態に示した高周波フロントエンドモジュール１０と同じである。したがって、異なる箇所のみを説明する。
【００７５】
送信側フィルタ３０Ａは、ＳＡＷフィルタ３１１，３１２を備える。これらＳＡＷフィルタ３１１，３１２は、第１の実施形態と同じである。
【００７６】
ＳＡＷフィルタ３１１の一方端は、位相調整線路３３１Ａを介して、送信信号外部入力端子Ｐｔｘへ接続されている。ＳＡＷフィルタ３１１の他方端は、位相調整線路３３１Ｂを介して、サーキュレータ２１の送信側ポートＣＰｔへ接続されている。位相調整線路３３１Ａ，３３１Ｂのいずれかあるいは双方は、ＧＳＭ９００送信信号の周波数帯域において、送信信号外部入力端子ＰｔｘからＳＡＷフィルタ３１１側を見たインピーダンスが無限大に近づくように位相を回転させる電気長で形成されている。
【００７７】
ＳＡＷフィルタ３１２の一方端は、位相調整線路３３２Ａを介して、送信信号外部入力端子Ｐｔｘへ接続されている。ＳＡＷフィルタ３１２の他方端は、位相調整線路３３２Ｂを介して、サーキュレータ２１の送信側ポートＣＰｔへ接続されている。位相調整線路３３２Ａ，３３２Ｂのいずれかあるいは双方は、ＧＳＭ８５０送信信号の周波数帯域において、送信信号外部入力端子ＰｔｘからＳＡＷフィルタ３１２側を見たインピーダンスが無限大に近づくように位相を回転させる電気長で形成されている。
【００７８】
このような構成により、ＧＳＭ８５０送信信号は、ＳＡＷフィルタ３１１を介してサーキュレータ２１へ伝送される。この際、位相調整線路３３１Ａは、ＧＳＭ８５０送信信号に対する、送信信号外部入力端子ＰｔｘとＳＡＷフィルタ３１１との間の整合回路としても機能する。また、位相調整線路３３１Ｂは、ＧＳＭ８５０送信信号に対する、ＳＡＷフィルタ３１１とサーキュレータ２１との間の整合回路としても機能する。これにより、ＧＳＭ８５０送信信号の送信時には、送信信号外部入力端子Ｐｔｘからサーキュレータ２１まで、ＧＳＭ８５０送信信号を低損失で伝送できる。
【００７９】
また、ＧＳＭ９００送信信号は、ＳＡＷフィルタ３１２を介してサーキュレータ２１へ伝送される。この際、位相調整線路３３２Ａは、ＧＳＭ９００送信信号に対する、送信信号外部入力端子ＰｔｘとＳＡＷフィルタ３１２との間の整合回路としても機能する。また、位相調整線路３３２Ｂは、ＧＳＭ９００送信信号に対する、ＳＡＷフィルタ３１２とサーキュレータ２１との間の整合回路としても機能する。これにより、ＧＳＭ９００送信信号の送信時には、送信信号外部入力端子Ｐｔｘからサーキュレータ２１まで、ＧＳＭ９００送信信号を低損失で伝送できる。
【００８０】
受信側フィルタ４０Ａは、ＳＡＷフィルタ４１１，４１２を備える。これらＳＡＷフィルタ４１１，４１２は、第１の実施形態と同じである。
【００８１】
ＳＡＷフィルタ４１１の一方端は、位相調整線路４３１Ａを介して、サーキュレータ２１の受信側ポートＣｐｒへ接続されている。ＳＡＷフィルタ４１１の他方端は、位相調整線路４３１Ｂを介して、受信信号外部出力端子Ｐｒｘへ接続されている。位相調整線路４３１Ａ，４３１Ｂのいずれかあるいは双方は、ＧＳＭ９００受信信号の周波数帯域において、サーキュレータ２１の受信側ポートＣｐｒからＳＡＷフィルタ４１１側を見たインピーダンスが無限大に近づくように位相を回転させる電気長で形成されている。
【００８２】
ＳＡＷフィルタ４１２の一方端は、位相調整線路４３２Ａを介して、サーキュレータ２１の受信側ポートＣｐｒへ接続されている。ＳＡＷフィルタ４１２の他方端は、位相調整線路４３２Ｂを介して、受信信号外部出力端子Ｐｒｘへ接続されている。位相調整線路４３２Ａ，４３２Ｂのいずれかあるいは双方は、ＧＳＭ８５０受信信号の周波数帯域において、サーキュレータ２１の受信側ポートＣｐｒからＳＡＷフィルタ４１２側を見たインピーダンスが無限大に近づくように位相を回転させる電気長で形成されている。
【００８３】
このような構成により、ＧＳＭ８５０受信信号は、ＳＡＷフィルタ４１１を介して受信信号外部出力端子Ｐｒｘへ伝送される。この際、位相調整線路４３１Ａは、ＧＳＭ８５０受信信号に対する、サーキュレータ２１とＳＡＷフィルタ４１１との間の整合回路としても機能する。また、位相調整線路４３１Ｂは、ＧＳＭ８５０受信信号に対する、ＳＡＷフィルタ４１１と受信信号外部出力端子Ｐｒｘとの間の整合回路としても機能する。これにより、ＧＳＭ８５０受信信号の受信時には、サーキュレータ２１から受信信号外部出力端子Ｐｒｘまで、ＧＳＭ８５０受信信号を低損失で伝送できる。
【００８４】
また、ＧＳＭ９００受信信号は、ＳＡＷフィルタ４１２を介して受信信号外部出力端子Ｐｒｘへ伝送される。この際、位相調整線路４３２Ａは、ＧＳＭ９００受信信号に対する、サーキュレータ２１とＳＡＷフィルタ４１２との間の整合回路としても機能する。また、位相調整線路４３２Ｂは、ＧＳＭ９００受信信号に対する、ＳＡＷフィルタ４１２と受信信号外部出力端子Ｐｒｘとの間の整合回路としても機能する。これにより、ＧＳＭ９００受信信号の受信時には、サーキュレータ２１から受信信号外部出力端子Ｐｒｘまで、ＧＳＭ９００受信信号を低損失で伝送できる。
【００８５】
以上のような構成であっても、第１の実施形態と同様の作用効果を得ることができる。さらに、本実施形態の構成では、送信側フィルタ３０Ａ、受信側フィルタ４０Ａにスイッチを用いていないので、高周波フロントエンドモジュール１０Ａを、さらに簡素な構成で実現することができる。また、位相調整線路が整合回路としても機能するため、別途整合用の回路素子を必要とせず、さらに簡素な構成を実現できる。さらに、スイッチ制御部９０３Ａは、可変サーキュレータ２０のスイッチ制御のみを実行するので、制御も簡素化できる。
【００８６】
次に、第３の実施形態に係る高周波フロントエンドモジュールについて、図を参照して説明する。図５は、本実施形態に係る高周波フロントエンドモジュール１０Ｂを含む送受信モジュール９００Ｂの回路図である。本実施形態の高周波フロントエンドモジュール１０Ｂは、送信側フィルタ３０Ｂ、受信側フィルタ４０Ｂの内部構成が異なるのみで、他の構成は第１、第２の実施形態の高周波フロントエンドモジュール１０，１０Ａと同じである。したがって、異なる箇所のみを説明する。
【００８７】
送信側フィルタ３０Ｂは、ＳＡＷフィルタ３１１，３１２を備える。これらＳＡＷフィルタ３１１，３１２は、第１の実施形態と同じである。
【００８８】
ＳＡＷフィルタ３１１の一方端は、第１の実施形態と同様にスイッチ３２１を介して、送信信号外部入力端子Ｐｔｘへ接続されている。ＳＡＷフィルタ３１１の他方端は、第２の実施形態と同様に位相調整線路３３１Ｂを介して、サーキュレータ２１の送信側ポートＣＰｔへ接続されている。ＳＡＷフィルタ３１２の一方端は、第１の実施形態と同様にスイッチ３２１を介して、送信信号外部入力端子Ｐｔｘへ接続されている。ＳＡＷフィルタ３１２の他方端は、第２の実施形態と同様に位相調整線路３３２Ｂを介して、サーキュレータ２１の送信側ポートＣＰｔへ接続されている。
【００８９】
このような構成でも、スイッチ制御部９０３Ｂにより、第１の実施形態と同様のスイッチ制御を行うことで、ＧＳＭ８５０送信信号は、ＳＡＷフィルタ３１１を介してサーキュレータ２１へ伝送され、ＧＳＭ９００送信信号は、ＳＡＷフィルタ３１２を介してサーキュレータ２１へ伝送される。この際、位相調整線路３３１Ｂ，３３２Ｂは、ＳＡＷフィルタ３１１，３１２と、サーキュレータ２１との間の整合回路として機能する。これにより、ＧＳＭ８５０送信信号、ＧＳＭ９００送信信号の伝送損失を低減できる。
【００９０】
受信側フィルタ４０Ｂは、ＳＡＷフィルタ４１１，４１２を備える。これらＳＡＷフィルタ４１１，４１２は、第１の実施形態と同じである。
【００９１】
ＳＡＷフィルタ４１１の一方端は、第２の実施形態と同様に位相調整線路４３１Ａを介して、サーキュレータ２１の送信側ポートＣＰｔへ接続されている。ＳＡＷフィルタ４１１の他方端は、第１の実施形態と同様にスイッチ４２２を介して、受信信号外部出力端子Ｐｒｘへ接続されている。ＳＡＷフィルタ４１２の一方端は、第２の実施形態と同様に位相調整線路４３２Ａを介して、サーキュレータ２１の送信側ポートＣＰｔへ接続されている。ＳＡＷフィルタ４１２の他方端は、第１の実施形態と同様にスイッチ４２２を介して、受信信号外部出力端子Ｐｒｘへ接続されている。
【００９２】
このような構成でも、スイッチ制御部９０３Ｂにより、第１の実施形態と同様のスイッチ制御を行うことで、ＧＳＭ８５０受信信号は、サーキュレータ２１からＳＡＷフィルタ４１１を介して受信信号外部出力端子Ｐｒｘへ伝送され、ＧＳＭ９００送信信号は、サーキュレータ２１からＳＡＷフィルタ３１２を介して受信信号外部出力端子Ｐｒｘへ伝送される。この際、位相調整線路４３１Ａ，４３２Ａは、サーキュレータ２１とＳＡＷフィルタ４１１，４１２との間の整合回路として機能する。これにより、ＧＳＭ８５０受信信号、ＧＳＭ９００受信信号の伝送損失を低減できる。
【００９３】
以上のような構成であっても、第１の実施形態と同様の作用効果を得ることができる。さらに、本実施形態の構成では、送信側フィルタ３０Ｂ、受信側フィルタ４０Ｂに用いるスイッチ数が半減するので、高周波フロントエンドモジュール１０Ｂを、簡素な構成で実現することができる。また、位相調整線路が整合回路としても機能するため、別途整合用の回路素子を必要とせず、さらに簡素な構成を実現できる。さらに、スイッチ制御部９０３Ｂの制御も、第１の実施形態のスイッチ制御部９０３よりも簡素化できる。
【００９４】
次に、第４の実施形態に係る高周波フロントエンドモジュールについて、図を参照して説明する。図６は、本実施形態に係る高周波フロントエンドモジュール１０Ｃを含む送受信モジュール９００Ｃの回路図である。本実施形態の高周波フロントエンドモジュール１０Ｃは、可変サーキュレータ２０Ｃの内部構成が異なるのみで、他の構成は第１の実施形態の高周波フロントエンドモジュール１０Ａと同じである。したがって、異なる箇所のみを説明する。
【００９５】
可変サーキュレータ２０Ｃは、サーキュレータ２１、可変容量素子２４１，２４２，２４３を備える。サーキュレータ２１は、第１の実施形態に示したものと同じである。サーキュレータ２１のアンテナ側ポートＣＰｃと送信側ポートＣＰｔとの間には、可変容量素子２４１が接続されている。アンテナ側ポートＣＰｃと受信側ポートＣＰｒとの間には、可変容量素子２４２が接続されている。送信側ポートＣＰｔと受信側ポートＣＰｒとの間には、可変容量素子２４３が接続されている。これら可変容量素子２４１，２４２，２４３が「調整回路」に相当する。
【００９６】
可変容量素子２４１，２４２，２４３は、伝送する信号に応じたキャパシタンスに制御される。可変容量素子２４１，２４２，２４３は、例えば、印加電圧により静電容量を調整可能なＭＥＭＳ（Micro Electro Mechanical Systems）素子や可変容量ダイオード等によって実現される。
【００９７】
このような構成であっても、第１の実施形態と同様の作用効果を得ることができる。さらに、本実施形態の構成では、サーキュレータ２１の各ポート間に接続されるキャパシタのキャパシタンスを詳細に調整できるので、ＧＳＭ８５０通信信号（送信信号および受信信号）、ＧＳＭ９００通信信号（送信信号および受信信号）のそれぞれに対して、より詳細にインピーダンスを調整することができる。これにより、さらに伝送損失を抑制することができる。
【００９８】
次に、第５の実施形態に係る高周波フロントエンドモジュールについて、図を参照して説明する。図７は、本実施形態に係る高周波フロントエンドモジュール１０Ｄを含む送受信モジュール９００Ｄの回路図である。本実施形態の高周波フロントエンドモジュール１０Ｄは、送信側フィルタ３０Ｄ，４０Ｄの内部構成が異なるのみで、他の構成は第４の実施形態の高周波フロントエンドモジュール１０Ｃと同じである。したがって、異なる箇所のみを説明する。
【００９９】
送信側フィルタ３０Ｄは、制御信号により通過周波数帯域および減衰帯域を調整可能な可変フィルタ３４１からなる。可変フィルタ３４１は、ＧＳＭ８５０送信信号の送信時には、ＧＳＭ８５０送信信号の周波数帯域を通過帯域とし、他の周波数帯域を減衰域とするように調整可能な構造を有する。可変フィルタ３４１は、ＧＳＭ９００送信信号の送信時には、ＧＳＭ９００送信信号の周波数帯域を通過帯域とし、他の周波数帯域を減衰域とするように調整可能な構造を有する。
【０１００】
受信側フィルタ４０Ｄは、制御信号により通過周波数帯域および減衰帯域を調整可能な可変フィルタ４４１からなる。可変フィルタ４４１は、ＧＳＭ８５０受信信号の受信時には、ＧＳＭ８５０受信信号の周波数帯域を通過帯域とし、他の周波数帯域を減衰域とするように調整可能な構造を有する。可変フィルタ４４１は、ＧＳＭ９００受信信号の受信時には、ＧＳＭ９００受信信号の周波数帯域を通過帯域とし、他の周波数帯域を減衰域とするように調整可能な構造を有する。
【０１０１】
このような構成により、高周波フロントエンドモジュール１０Ｄの回路構成要素を、さらに少なくすることができる。
【０１０２】
なお、上述の説明では、アンテナ側ポートＣＰｃ、送信側ポートＣＰｔ、および受信側ポートＣＰｒのそれぞれの間に、全てキャパシタを接続する例を示したが、上述するインピーダンス調整機能を実現可能であれば、これらの間の少なくとも１つにキャパシタを接続すればよい。また、上述の説明では、キャパシタを用いて位相を回転させる構成を示したが、インダクタ等の他のインピーダンス調整を回路構成で実現できる回路素子を用いて位相を回転させて、所望のインピーダンス調整を実現してもよい。
【０１０３】
なお、上述の説明では、送信側フィルタまたは受信側フィルタの例として、ＳＡＷフィルタを用いて説明したが、ＳＡＷフィルタに代えてＢＡＷフィルタ等の弾性波フィルタを用いてもよい。特に、通過帯域が狭く、通過帯域の両端の減衰特性が急峻なフィルタであると望ましい。
【符号の説明】
【０１０４】
１０，１０Ａ，１０Ｂ，１０Ｃ，１０Ｄ，１０Ｐ：高周波フロントエンドモジュール、
２０：可変サーキュレータ、２１：サーキュレータ、２２１，２２２，２２３：スイッチ、２３１，２３２，２３３，２３４，２３５，２３６：キャパシタ、２４１，２４２，２４３：可変容量素子、
３０，３０Ａ：送信側フィルタ、３１１，３１２：ＳＡＷフィルタ、３２１，３２２：スイッチ、３３１Ａ，３３１Ｂ，３３２Ａ，３３２Ｂ：位相調整線路、３４１：可変フィルタ、
４０，４０Ａ：受信側フィルタ、４１１，４１２：ＳＡＷフィルタ、４２１，４２２：スイッチ、４３１Ａ，４３１Ｂ，４３２Ａ，４３２Ｂ：位相調整線路、４４１：可変フィルタ、
９０：スイッチ、９１，９２：ＳＡＷデュプレクサ、９３：ダイプレクサ、９４：ＳＡＷフィルタ、９５，９６：ローパスフィルタ、
９００，９００Ａ，９００Ｂ，９００Ｃ，９００Ｄ，９００Ｐ：送受信モジュール、９０１：通信制御部、９１１：送信制御部、９１２：受信制御部、９０２：アンテナ、９０３，９０３Ａ，９０３Ｂ，９０３Ｃ，９０３Ｄ，９０３Ｐ：ＳＷ制御部、９７１，９７２，９７３，９７４：パワーアンプ、
【図１】
2013027580.tif 000003
【図２】
2013027580.tif 000004
【図３】
2013027580.tif 000005
【図４】
2013027580.tif 000006
【図５】
2013027580.tif 000007
【図６】
2013027580.tif 000008
【図７】
2013027580.tif 000009
【国際調査報告】
2013027580.tif 000010
2013027580.tif 000011
2013027580.tif 000012